(57)【要約】【課題】携帯電話端末本体の電池パック収納部分から突出する大型の電池パックを装着することを可能とし、使用時間延長や機能追加に伴う消費電流増加に対応できるようにする。【解決手段】携帯電話端末は、複数種類の電池パックのうちいずれか一つを収納可能な桶部３を有し、携帯電話端末本体１から突出する凸形形状のセミハードパック型電池パック２を桶部に装着するため突出する形状に合わせた電池カバー４を備える。携帯電話端末本体１は、セミハードパック型電池パック２を装着後、電池カバー４によりこの電池パック２を固定する構造を有する。【選択図】      図１
2004266625.tif 000002
【特許請求の範囲】
【請求項１】
複数種類の電池パックのうちいずれか一つを収納可能な桶部を有する携帯電話端末であって、携帯電話端末本体から突出する形状の電池パックを前記桶部に装着するため前記突出する形状に合わせた電池カバーを備えることを特徴とする携帯電話端末。
【請求項２】
前記携帯電話端末本体は、前記電池パックを装着後、前記電池カバーにより前記電池パックを固定する構造を有することを特徴とする請求項１記載の携帯電話端末。
【請求項３】
前記電池パックの突出形状は凸形あるいは台形のいずれかであることを特徴とする請求項１記載の携帯電話端末。
【請求項４】
前記電池パックはセミハードパック型であることを特徴とする請求項１または２記載の携帯電話端末。
【請求項５】
複数種類の電池パックのうちいずれか一つを携帯電話端末本体に装着する携帯電話端末における電池パック装着方法であって、前記携帯電話端末本体から突出する形状の電池パックを装着する場合、前記電池パックを前記携帯電話端末本体に装着後、前記突出する形状に合わせた電池カバーによって前記電池パックを前記携帯電話端末本体に固定することを特徴とする携帯電話端末における電池パック装着方法。
【請求項６】
複数種類の電池パックのうちいずれか一つを携帯電話端末本体に装着する携帯電話端末における電池パック装着方法であって、前記携帯電話端末本体から突出する形状の電池パックを装着する場合、前記電池パックの突出形状に合わせた電池カバーに交換可能であることを特徴とする携帯電話端末における電池パック装着方法。
【発明の詳細な説明】
【０００１】
【発明の属する技術分野】
本発明は携帯電話端末に関し、特に携帯電話端末における電池パック装着に関する。
【０００２】
【従来の技術】
従来、電池パックの構造としては汎用性を考慮し、電池パック本体とこの電池パックを携帯電話端末本体に装着したとき覆うための電池カバーとを分離することが要求され、通常、携帯電話端末本体から突出しない電池パックに合わせた電池カバーが用いられている。図２は従来の携帯電話端末における電池パックを装着した状態を示す図である。電池カバー８は平坦であるため、セミハードパック型電池パック７のような、携帯電話端末本体１の桶部３に収まる直方体または、円筒形等のセミハードパック型電池パックを携帯電話端末本体１に装着する場合にしか使用できない。また、電池容量の増加に対応可能であり、形状の異なる電池を収容することができる電池収容構造が開示されている（例えば、特許文献１参照）。
【０００３】
【特許文献１】
特開平１１−１４４６９３号公報（図１）
【０００４】
【発明が解決しようとする課題】
携帯電話端末の普及に伴い、カメラ機能等各種機能の追加により消費電力は増加の傾向にあり、また連続使用時間延長を要望するユーザ向けに、高容量の電池パックの装着が可能な携帯電話端末が求められている。この電池パックの大型化により、電池パックは携帯電話端末から突出する形状のものとなってしまう。しかしながら、上述した従来の携帯電話端末では、高容量の大型で携帯電話端末の桶部から突出する形状の電池パックを装着することができない。
【０００５】
本発明の目的は、携帯電話端末本体の電池パック収納部分から突出する大型の電池パックを装着することを可能とし、使用時間延長や機能追加に伴う消費電流増加に対応できる携帯電話端末およびその電池パック装着方法を提供することにある。
【０００６】
【課題を解決するための手段】
請求項１に記載の本発明は、複数種類の電池パックのうちいずれか一つを収納可能な桶部を有する携帯電話端末であって、携帯電話端末本体から突出する形状の電池パックを前記桶部に装着するため前記突出する形状に合わせた電池カバーを備える。
【０００７】
請求項２に記載の本発明は、請求項１に記載の発明において、前記携帯電話端末本体は、前記電池パックを装着後、前記電池カバーにより前記電池パックを固定する構造を有する。
【０００８】
請求項３に記載の本発明は、請求項１に記載の発明において、前記電池パックの突出形状は凸形あるいは台形のいずれかである。
【０００９】
請求項４に記載の本発明は、請求項１または２に記載の発明において、前記電池パックはセミハードパック型である。
【００１０】
請求項５に記載の本発明は、複数種類の電池パックのうちいずれか一つを携帯電話端末本体に装着する携帯電話端末における電池パック装着方法であって、前記携帯電話端末本体から突出する形状の電池パックを装着する場合、前記電池パックを前記携帯電話端末本体に装着後、前記突出する形状に合わせた電池カバーによって前記電池パックを前記携帯電話端末本体に固定する。
【００１１】
請求項６に記載の本発明は、複数種類の電池パックのうちいずれか一つを携帯電話端末本体に装着する携帯電話端末における電池パック装着方法であって、前記携帯電話端末本体から突出する形状の電池パックを装着する場合、前記電池パックの突出形状に合わせた電池カバーに交換可能である。
【００１２】
【発明の実施の形態】
次に、本発明の実施の形態について図面を参照して説明する。
【００１３】
図１は本発明の実施の形態を示す凸形状のセミハードパック型電池パックを携帯電話端末に装着した場合を説明するための図である。図１において、携帯電話端末は、携帯電話端末本体１と、その主電源である凸形状のセミハードパック型電池パック２と、セミハードパック型電池パック２を携帯電話端末本体１に装着するための桶部３と、セミハードパック型電池パック２を携帯電話端末本体１に装着後に固定する蓋である電池カバー４とを備える。
【００１４】
図１において、携帯電話端末本体１から突出する凸形状のセミハードパック型電池パック２を装着する場合、セミハードパック型電池パック２を携帯電話端末本体１の桶部３に装着後、突出する凸形形状に合わせた電池カバー４によってセミハードパック型電池パック２を携帯電話端末本体１から脱落しないように固定する。なお、電池カバー４を携帯電話端末本体１に固定する際、その取付は周知の係止方法により行う。
【００１５】
図２は本発明の他の実施の形態を示す台形状のセミハードパック型電池パックを携帯電話端末に装着した場合を説明するための図である。図２において、携帯電話端末は、携帯電話端末本体１と、その主電源である台形状のセミハードパック型電池パック５と、セミハードパック型電池パック５を携帯電話端末本体１に装着するための桶部３と、セミハードパック型電池パック５を携帯電話端末本体１に装着後に固定する蓋である電池カバー６とを備える。
【００１６】
図２において、携帯電話端末本体１から突出する台形状のセミハードパック型電池パック５を装着する場合、セミハードパック型電池パック５を携帯電話端末本体１の桶部３に装着後、突出する台形形状に合わせた電池カバー６によってセミハードパック型電池パック５を携帯電話端末本体１から脱落しないように固定する。
【００１７】
このように携帯電話端末本体に装着するセミハードパック型電池パックの突出形状に合わせた、電池カバーを使用することにより、携帯電話端末本体にセミハードパック型電池パックを固定する。また、携帯電話端末本体から突出する形状の電池パックを装着する場合、セミハードパック型電池パックの突出形状に合わせた電池カバーに交換可能である。
【００１８】
【発明の効果】
以上説明したように本発明によれば、電池カバーを電池パックに合わせた凸形状あるいは台形状とすることにより、携帯電話端末本体から突出している凸形状あるいは台形状の電池パックを携帯電話端末本体に装着した場合、携帯電話端末本体に電池カバーが装着可能となり、携帯電話端末本体から電池パックが脱落することを防ぐことができる。これにより、電池パック形状の自由度が増し、携帯電話端末本体から突出する体積の大きい電池パックが携帯電話端末本体に装着可能となるため、電池パックの高容量化が実現し、使用時間の延長や機能追加の伴う消費電流増加にも対応することができる。
【図面の簡単な説明】
【図１】本発明の実施の形態を示す凸形状のセミハードパック型電池パックを携帯電話端末に装着した場合を説明するための図である。
【図２】本発明の他の実施の形態を示す台形状のセミハードパック型電池パックを携帯電話端末に装着した場合を説明するための図である。
【図３】従来のセミハードパック型電池パックを携帯電話端末に装着した場合を説明するための図である。
【符号の説明】
１    携帯電話端末本体
２，５    セミハードパック型電池パック
３    桶部
４，６    電池カバー
【図１】
2004266625.tif 000003
【図２】
2004266625.tif 000004
【図３】
2004266625.tif 000005